(57)【要約】      （修正有）【課題】振動でファスナー用スライダーを同一方向に揃えることができ、装着を容易にし、手直し頻度を低減し、装着効率を向上させたファスナー用スライダーを提供する。【解決手段】ファスナー用スライダーは、スライド本体３を有し、スライド本体３にスライド溝が設けられ、スライド溝が延伸方向においてスライド本体３を貫通し、スライド本体３に凸部１が設けられる。スライド本体３が振動盤等の振動機構を通過した後、スライド本体３における凸部１が同じ側に位置するようにすることができる。スライド本体３の同一方向への自動調整が実現され、ファスナーの自動組立を実現でき、ファスナーの自動組立を行う際に、ファスナー用スライダーの方向を調整する必要がなくなり、装着効率を向上させることができる。【選択図】図６
0003225053.tif 000002
【実用新案登録請求の範囲】
【請求項１】
スライド本体を有し、
前記スライド本体にスライド溝が設けられ、
前記スライド溝が延伸方向において前記スライド本体を貫通し、
前記スライド本体に凸部が設けられている
ことを特徴とするファスナー用スライダー。
【請求項２】
前記凸部は、前記スライド本体における、前記スライド溝の溝口を有する側に設けられていることを特徴とする請求項１に記載のファスナー用スライダー。
【請求項３】
前記凸部の長さが前記スライド本体の長さと同じであることを特徴とする請求項１に記載のファスナー用スライダー。
【請求項４】
前記凸部は、前記スライド本体から離間する側のエッジが面取りされることを特徴とする請求項１に記載のファスナー用スライダー。
【請求項５】
前記スライド溝内に案内部が設けられていることを特徴とする請求項１に記載のファスナー用スライダー。
【請求項６】
前記案内部は、三角柱の形状に形成され、
前記三角柱の１つのエッジが前記スライド溝の延伸方向に向くことを特徴とする請求項５に記載のファスナー用スライダー。
【請求項７】
前記スライド溝内に少なくとも１対の規制部が設けられ、
１対の前記規制部が第１の規制部と第２の規制部とを有し、前記第１の規制部と前記第２の規制部がそれぞれ前記スライド溝の対向する２つの側壁に設けられ、
前記第１の規制部と前記第２の規制部との間の隙間が、前記スライド溝の延伸方向に向く前記三角柱のエッジと対向に設けられている
ことを特徴とする請求項６に記載のファスナー用スライダー。
【請求項８】
前記案内部の高さが前記スライド溝の深さより小さいことを特徴とする請求項５に記載のファスナー用スライダー。
【請求項９】
第１のチェーンと、第２のチェーンと、請求項１〜８のいずれか１項に記載のファスナー用スライダーとを有し、
前記第１のチェーンに第１の接続構造が設けられ、
前記第２のチェーンに第２の接続構造が設けられ、
前記第１のチェーンと前記第２のチェーンが前記ファスナー用スライダーの前記スライド溝を通ったあと、前記第１の接続構造と前記第２の接続構造とが分離状態又は接続状態になる
ことを特徴とするファスナー。
【請求項１０】
前記第１のチェーンに、前記第１の接続構造の一側に位置する第１の凹溝が設けられ、
前記第２のチェーンに、前記第２の接続構造の一側に位置する第２の凹溝が設けられている
ことを特徴とする請求項９に記載のファスナー。
【考案の詳細な説明】
【技術分野】
【０００１】
本考案は、接続部品の分野に属し、具体的に、ファスナー用スライダー及びファスナーに関する。
【背景技術】
【０００２】
従来のファスナー用スライダーは、装着に方向性を有するので、ファスナーの装着が手動で行わなければならない。そして、手動で装着する際に、正確に装着するように、ファスナー用スライダーの向きをきちんと確認しなければならない。
【０００３】
つまり、装着するとき、向きを間違え、改めて調整してやり直すことがあるので、ファスナー用スライダーを装着する際、時間がかかる場合がある。
【考案の概要】
【０００４】
本考案は、振動でファスナー用スライダーを同一方向に揃えることができ、装着を容易にし、手直し頻度を低減し、装着効率を向上させたファスナー用スライダーを提供することを目的とする。
【０００５】
本考案は、さらに、ファスナー用スライダーの方向を揃えて、自動装着を容易にし、装着効率を向上させたファスナーを提供することを目的とする。
【０００６】
本考案の実施例は、以下のように実現される。ファスナー用スライダーは、スライド本体を有し、前記スライド本体にスライド溝が設けられ、前記スライド溝が延伸方向において前記スライド本体を貫通し、前記スライド本体に凸部が設けられている。
【０００７】
本考案の好ましい実施例において、前記凸部は、前記スライド本体における、前記スライド溝の溝口を有する側に設けられている。
【０００８】
本考案の好ましい実施例において、前記凸部の長さａが前記スライド本体の長さｂと同じである。
【０００９】
本考案の好ましい実施例において、前記凸部は、前記スライド本体から離間する側のエッジが面取りされる。
【００１０】
本考案の好ましい実施例において、前記スライド溝内に案内部が設けられている。
【００１１】
本考案の好ましい実施例において、前記案内部は、三角柱の形状に形成され、前記三角柱の１つのエッジが前記スライド溝の延伸方向に向く。
【００１２】
本考案の好ましい実施例において、前記スライド溝内に少なくとも１対の規制部が設けられ、１対の前記規制部が第１の規制部と第２の規制部とを有し、前記第１の規制部と前記第２の規制部がそれぞれ前記スライド溝の対向する２つの側壁に設けられ、前記第１の規制部と前記第２の規制部との間の隙間が、前記スライド溝の延伸方向に向く前記三角柱のエッジと対向に設けられている。
【００１３】
本考案の好ましい実施例において、前記案内部の高さｄが前記スライド溝の深さｃより小さい。
【００１４】
ファスナーは、第１のチェーンと、第２のチェーンと、上記のいずれか１種のファスナー用スライダーとを有し、前記第１のチェーンに第１の接続構造が設けられ、前記第２のチェーンに第２の接続構造が設けられ、前記第１のチェーンと前記第２のチェーンが前記ファスナー用スライダーのスライド溝を通ったあと、前記第１の接続構造と前記第２の接続構造とが分離状態又は接続状態になる。
【００１５】
本考案の好ましい実施例において、前記第１のチェーンに、前記第１の接続構造の一側に位置する第１の凹溝が設けられ、前記第２のチェーンに、前記第２の接続構造の一側に位置する第２の凹溝が設けられている。
【００１６】
本考案の実施例は、以下の有益効果を有する。
【００１７】
スライド本体にスライド溝が設けられることによって、チェーンが通ることができ、ファスナーの機能を果たすことができる。また、スライド本体に凸部が設けられることによって、スライド本体の片側の高さを高くなる。これによって、スライド本体が方向チェック口を有する振動盤を通過するとき、凸部を有する側の高さが高いので、方向チェック口から落ちず、凸部を有しない側の高さが低く、方向チェック口の高さよりも低いので、方向チェック口から落ちるようになる。従って、振動盤を通過するスライド本体の方向を揃えるようになる。このため、ファスナーの自動組立を実現でき、そして、ファスナーの自動組立を行う際に、ファスナー用スライダーの方向を調整する必要がなくなり、ファスナー用スライダーの装着効率を向上させることができる。
【図面の簡単な説明】
【００１８】
以下、本考案の実施例の技術案をより明瞭に説明するため、実施例に必要な図面を簡単に説明する。下記の図面は、本考案のいくつの実施例を示したものに過ぎず、範囲を限定するものではない。当業者は、発明能力を用いなくても、これらの図面に基づいてその他の関連図面を得ることが可能である。
【００１９】
【図１】本考案の実施例に係るファスナー用スライダーの正面図である。
【図２】本考案の実施例に係るファスナー用スライダーの右側面図である。
【図３】本考案の実施例に係るファスナー用スライダーの左側面図である。
【図４】本考案の実施例に係るファスナー用スライダーの平面図である。
【図５】図４におけるＡ−Ａ線に沿う断面図である。
【図６】本考案の実施例に係るファスナー用スライダーの斜視図である。
【図７】本考案の実施例に係るファスナーの第１のチェーンの構成模式図である。
【考案を実施するための形態】
【００２０】
本考案の実施例の目的、技術案及び利点をより明瞭にするため、以下、本考案の実施例に用いられる図面を参照しながら、本考案の実施例における技術案を明瞭且つ完全に説明し、説明される実施例が本考案の実施例の一部に過ぎず、すべての実施例ではないことは無論である。ここで図面を用いて示した本考案の実施例における部品は、様々な配置方法で配置、設計することが可能である。
【００２１】
このため、図面に示された本考案の実施例に対する以下の詳細な説明は、保護しようとする本考案の範囲を限定するものではなく、本考案の選択された実施例を示すものに過ぎない。本考案の実施例をもとに、当業者が発明能力を用いることなく得たすべてのその他の実施例は、いずれも本考案の保護範囲に属する。
【００２２】
なお、同様な符号は、図面において同様な項目を示すので、１つの図面で定義された場合、その他の図面で当該項目をさらに定義、解釈することが不要になる。
【００２３】
本考案の説明において、「中心」、「上」、「下」、「左」、「右」、「鉛直」、「水平」、「内」、「外」等の用語で表された方向又は位置関係は、図面に基づくものであり、或いは該考案に係る製品の通常の配置方向又は位置関係であり、本考案を便宜及び簡略に説明するためのものに過ぎず、該当装置又は素子が、必ず定められた方向を有したり、定められた方向に構成、操作されたり、することを明示又は暗示するものではないため、本考案を限定するものではないと理解すべきである。また、「第１」、「第２」、「第３」等の用語は、区別して説明するためのものに過ぎず、相対重要性を明示又は暗示するものではないと理解すべきである。
【００２４】
なお、「水平」、「鉛直」、「重力方向」等の用語は、部品を絶対的な水平又は鉛直に設置すると意味するものではなく、少し傾斜してもよい。例えば、「水平」とは、該当構成の方向が、「鉛直」よりも水平になり、必ず完全水平になるのではなく、少し傾斜してもよい。
【００２５】
さらに、本考案の説明において、明確な定義と限定がない限り、「設置」、「装着」、「連結」、「接続」の用語は、広義的に理解すべきである。例えば、固定接続でもよいし、取外し可能な接続でもよいし、一体的な接続でもよい。そして、機械的な接続でもよいし、電気的な接続でもよい。また、直接に接続してもよいし、中間物を介して間接に接続してもよいし、２つの素子の内部が連通してもよい。当業者は、本考案における上記用語の具体的な意味を、具体的な状況に応じて理解することが可能である。
【００２６】
以下、図１〜６を参照しながら、本考案のいくつの実施形態を詳細に説明する。矛盾がない限り、下記の実施例及び実施例における特徴が互いに組み合わせることができる。
【００２７】
ファスナー用スライダーは、スライド本体３を有し、スライド本体３にスライド溝７が設けられ、スライド溝７が延伸方向においてスライド本体３を貫通し、スライド本体３に凸部１が設けられる。
【００２８】
本実施例において、スライド本体３の片側に凸部１が設けられている。
【００２９】
ファスナーを組み立てる際に、振動盤等の機構により、スライド本体３を、順に並ぶように振動させる。振動盤の部品供給通路に方向チェック口が設けられ、方向チェック口が部品供給通路の側壁と部品供給通路の底部の片側に設けられるので、方向チェック口の縦方向の断面がＬ形状に形成される。そして、部品供給通路の底部における方向チェック口の幅がスライド本体３の幅より小さく形成されている。スライド本体３が部品供給通路における方向チェック口が位置する箇所を通過するとき、スライド本体３の凸部１が設けられる側が部品供給通路における方向チェック口が設けられる側壁に接する向きとなる場合、スライド本体３の凸部１が設けられる側の高さが部品供給通路の側壁における方向チェック口の高さより高いとともに、スライド本体３の底部における幅が部品供給通路の底部における方向チェック口の幅より大きいので、スライド本体３が部品供給通路を順調に通過することができる。また、スライド本体３の凸部１が設けられる側が部品供給通路における方向チェック口が設けられる側壁から離間する向きとなる場合、スライド本体３の凸部１が設けられていない側の高さが部品供給通路の側壁における方向チェック口の高さよりも低いので、スライド本体３が傾斜して転んで、方向チェック口から落ちるようになる。
【００３０】
つまり、スライド本体３に凸部１を設け、方向チェック口と合わせることによって、部品供給通路を通過するスライド本体３のうちの向きが同一ではないスライド本体３を落させ、向きが同一になるスライド本体３を通過させることができる。これによって、スライド本体３を装着するとき、スライド本体３の向きを判別する必要がなく、正確に装着を行うことできる。
【００３１】
具体的に、本実施例において、スライド本体３におけるスライド溝７が両端を貫通し、ファスナーの２本のチェーンがスライド溝７を通って、スライド溝７により係合するようになる。
【００３２】
より具体的に、本実施例において、スライド溝７の溝口の幅がスライド溝７の対向する内壁の間の距離より小さく形成されている。これによって、２本のチェーンは、スライド溝７を通ることができるとともに、スライド溝７の溝口から離脱できなくなるので、チェーンを確実に係合させることを確保することができる。
【００３３】
本実施例において、スライド本体３の側壁に、複数の滑り止め凸条２が平行に設けられる。滑り止め凸条２が設けられることにより、スライド本体３を押動して移動させることが容易になる。
【００３４】
本考案の好ましい実施例において、凸部１は、スライド本体３における、スライド溝７の溝口が位置する側に設けられる。
【００３５】
具体的に、凸部１は、スライド本体３における、スライド溝７の溝口が位置する側面に設けられるとともに、スライド本体３の縁に設けられている。これによって、凸部１の偏心を保つことができる。
【００３６】
より具体的に、本実施例において、凸部１は、長手方向がスライド本体３の長手方向に沿うように、直方体の形状に形成されている。
【００３７】
なお、凸部１は、直方体の形状に形成されているが、これに限定されず、その他の形状であってもよい。例えば円柱、三角柱、半球体等に形成されることも可能である。つまり、スライド本体３に設けられ偏心作用を奏するものであればよい。
【００３８】
本考案の好ましい実施例において、凸部１の長さａがスライド本体３の長さｂと同じである。
【００３９】
本実施例において、直方体の凸部１は、その長手方向がスライド本体３の長手方向と同じであるので、複数のスライド本体３を組み合わせて連結させる場合、凸部１の間に大きな隙間が生じないようになる。これによって、ファスナー用スライダーの装着時の方向調整機能を保障できるとともに、全体としての美観性も保障できる。
【００４０】
本考案の好ましい実施例において、凸部１は、スライド本体３から離間する側のエッジが面取りされる。
【００４１】
具体的に、本実施例において、丸面取りされる。
【００４２】
より具体的に、凸部１は、スライド本体３から離間する側の計４つのエッジが、いずれも面取りされる。
【００４３】
面取りすることにより、鋭いエッジで使用者に切り傷等の傷を付けることを避け、使用者の安全を保障することができる。
【００４４】
なお、丸面取りされてもよいし、４５°又は３０°の面取りをされてもよい。面取りすることにより使用者の安全を保障するものであればよい。
【００４５】
本実施例において、凸部１だけではなく、スライド本体３のその他の箇所も面取りされる。即ち、ファスナー用スライダーの滑り性及び安全性を保障するように、ファスナー用スライダーにおけるすべてのエッジに対して面取り処理を行う。
【００４６】
なお、スライド本体３と凸部１が同様に面取りされてもよく、異なるように面取りされてもよい。丸面取りされる場合、面取りの径が異なってもよい。つまり、具体的なエッジの位置に応じて適宜に面取りすることが可能である。これによって、面取りの作用を保障するとともにファスナー用スライダーの全体強度を保障することができる。
【００４７】
本考案の好ましい実施例において、スライド溝７内に案内部４が設けられる。
【００４８】
案内部４が設けられることによって、２本のチェーンがスライド溝７を通って、係合状態から分離状態になることができるし、分離状態から係合状態になることもできる。
【００４９】
つまり、案内部４が設けられることによって、チェーンの状態を切り替えて、チェーンの接続及び分離の機能を実現した。
【００５０】
具体的に、本考案の好ましい実施例において、案内部４は、三角柱の形状に形成され、三角柱の１つのエッジがスライド溝７の延伸方向に向く。
【００５１】
より具体的に、本実施例において、案内部４がスライド本体３からはみ出さいないように、三角柱の高さｄがスライド溝７の深さｃより小さく形成されている。これによって、本実施例において、ファスナーを使用した袋に対する案内部４の影響、つまり、シール性への影響を避けることができるとともに、ファスナー用スライダー全体の美観性と強度を保障することができる。
【００５２】
より具体的に、本実施例において、三角柱の横断面が二等辺三角形となるとともに、二等辺三角形において、等辺の長さが底辺の長さより大きい。二等辺三角形の底辺と頂角がそれぞれスライド溝７の２つの延伸方向に向く。
【００５３】
２本のチェーンは、二等辺三角形の頂角が向く方向からスライド溝７に入ると、頂角が位置するエッジを経由して案内部４で分離され、それぞれ案内部４の側辺が位置する面を通過する。これによって、２本のチェーンを確実に分離することができる。
【００５４】
チェーンは、二等辺三角形の底辺が向く方向からスライド溝７に入ると、三角柱の両側を経由してスライド溝７内に入り、そして三角柱の側面を通過して三角柱のエッジに沿って集まる。さらに、スライド溝７で２本のチェーンが互いに押圧され係合するようになる。これによって、チェーンによる接続が実現された。
【００５５】
なお、本実施例において、案内部４は、三角柱の形状に形成されたが、これに限定されず、その他の形状であってもよい。例えば横断面が菱形に形成された四角柱であってもよいし、横断面が不規則形状となり且つ鋭い角を有するように形成された角柱であってもよい。鋭い角をで係合している２本のチェーンを分離することができるものであればよい。
【００５６】
本考案の好ましい実施例において、スライド溝７内に少なくとも１対の規制部が設けられ、１対の規制部が第１の規制部５と第２の規制部６とを有し、第１の規制部５と第２の規制部６がそれぞれスライド溝７の対向する２つの側壁に設けられ、第１の規制部５と第２の規制部６との間の隙間が、スライド溝７の延伸方向に向かう三角柱のエッジと対向に設けられる。
【００５７】
分離している２本のチェーンをよりよく係合させるために、本実施例において、規制部によりチェーンの位置を規制する。
【００５８】
具体的に、第１の規制部５と第２の規制部６との間の隙間の幅が、１本のチェーンの幅の２倍より小さく、２本のチェーンが係合した後の幅より大きいように形成されている。これによって、２本のチェーンは、第１の規制部５と第２の規制部６との間の隙間を通った後、第１の規制部５と第２の規制部６で互いに押圧され係合するようになる。
【００５９】
具体的に、本実施例において、第１の規制部５と第２の規制部６は、いずれも三角柱における二等辺三角形の頂角が向かう方向の位置に設けられている。
【００６０】
本考案によるファスナーは、図７に示すように、第１のチェーン８と、第２のチェーンと、上記のいずれか１種のファスナー用スライダーとを有する。第１のチェーン８に第１の接続構造９が設けられ、第２のチェーンに第２の接続構造が設けられ、第１のチェーン８と第２のチェーンがファスナー用スライダーのスライド溝を通ったとき、第１の接続構造９と第２の接続構造とが分離状態又は接続状態になる。
【００６１】
つまり、第１のチェーン８と第２のチェーンが、第１の接続構造９と第２の接続構造を介して接続されている。第１の接続構造９と第２の接続構造とが接続状態になったとき、第１のチェーン８と第２のチェーンが係合し、例えば袋の口等の接続箇所を閉じさせることができ、第１の接続構造９と第２の接続構造とが分離状態になったとき、第１のチェーン８と第２のチェーンが分離し、例えば袋の口等の接続箇所を開けさせることができる。
【００６２】
具体的に、本実施例において、第１の接続構造９が凹溝であり、第２の接続構造が凸起であり、凸起が凹溝内に挿入されたことにより、第１の接続構造９と第２の接続構造との接続が実現される。
【００６３】
なお、第１の接続構造９と第２の接続構造は、上記のように設けられているが、これに限定されず、フックを用いる接続等であってもよい。つまり、第１の接続構造９と第２の接続構造の接続により第１のチェーン８と第２のチェーンの接続を実現するものであればよい。
【００６４】
本考案の好ましい実施例において、第１のチェーン８に、第１の接続構造９の一側に位置する第１の凹溝１０が設けられ、第２のチェーンに、第２の接続構造の一側に位置する第２の凹溝が設けられている。
【００６５】
第１のチェーン８の第２のチェーンに隣接する側に第１の凹溝１０が設けられ、第２のチェーンの第１のチェーンに隣接する側に第２の凹溝が設けられている。第１の凹溝１０が第１の接続構造９の上方に設けられ、第２の凹溝が第２の接続構造の上方に設けられている。第１の接続構造９と第２の接続構造がファスナー用スライダーを通って接続又は分離するとき、第１の凹溝１０と第２の凹溝もファスナー用スライダーを通ることができる。
【００６６】
第１の凹溝１０と第２の凹溝がファスナー用スライダーを通るとき、第１の凹溝１０の開口が、ファスナー用スライダーに押圧されて、ファスナー用スライダーにおける三角柱のエッジと衝突する。これによって、音が出されるとともに振動感覚が与えられることができる。
【００６７】
振動感覚により、ファスナー用スライダーがスライドするときの触覚を増強することができ、音により、第１のチェーンと８第２のチェーンとがしっかり係合したか否か、即ち第１のチェーン８と第２のチェーンとの接続又は分離が完全に行われたか否かを判断することができる。
【００６８】
具体的に、本実施例において、第１の凹溝１０と第２の凹溝が間欠に設けられることによって、第１の凹溝１０と第２の凹溝の数を減らすことができる。これによって、音及び振動を発生できることを保障するとともに、チェーンの生産性を向上させることができる。
【００６９】
具体的に、本実施例において、第１の凹溝１０と第２の凹溝は、角形に形成されている。
【００７０】
なお、第１の凹溝１０と第２の凹溝は、角形に形成されたが、これに限定されず、その他の形状であってもよい。例えば、円形、三角形等の形状の溝であってもよい。第１の凹溝１０と第２の凹溝を設けることにより三角柱のエッジと合わせて音及び振動を発生させることができるものであればよい。
【００７１】
本考案の実施例は、以下の有益効果を有する。
【００７２】
スライド本体３にスライド溝が設けられることによって、チェーンがスライド本体３を通ることができるので、ファスナーの機能を果たすことができる。また、スライド本体３に凸部１が設けられることによって、スライド本体の片側の高さを高くなる。これによって、スライド本体が方向チェック口を有する振動盤を通過するとき、凸部１を有する側の高さが高いので、方向チェック口から落ちず、凸部１を有しない側の高さが低く、方向チェック口の高さよりも低いので、方向チェック口から落ちるようになる。従って、振動盤を通過するスライド本体の方向を揃えるようになる。このため、ファスナー用スライダーを取ってファスナーを組み立てる際に、ファスナー用スライダーの方向を調整する必要がなくなるので、誤作業による手直し率を下げ、ファスナー用スライダーの装着効率を向上させることができる。
【００７３】
上記は、本考案の好ましい実施例にすぎず、本考案を限定するものではない。当業者にとって、本考案に対して種々の変更や変化を行うことも可能である。本考案の精神および主旨内の如何なる変更、均等置換、改良等も、本考案の保護範囲に属する。
【符号の説明】
【００７４】
１  凸部
２  滑り止め凸条
３  スライド本体
４  案内部
５  第１の規制部
６  第２の規制部
７  スライド溝
８  第１のチェーン
９  第１の接続構造
１０  第１の凹溝
【図１】
0003225053.tif 000003
【図２】
0003225053.tif 000004
【図３】
0003225053.tif 000005
【図４】
0003225053.tif 000006
【図５】
0003225053.tif 000007
【図６】
0003225053.tif 000008
【図７】
0003225053.tif 000009